(57)【要約】【課題】電気刺激をすべき標的部位の良好な視野の確保と当該標的部位での電気刺激を簡易に達成できるデバイスを提供する。【解決手段】医療行為に用いるデバイスであって、標的部位又はその近傍に配される透明性を有する先端部と、吸引手段に接続可能に前記先端部に備えられる１又は２以上の吸引開口を備える液吸引路と、標的部位を通電刺激可能に前記先端部に備えられる１又は２以上の電極と、を提供する。【選択図】図１
2015198699.tif 000002
【特許請求の範囲】
【請求項１】
医療行為に用いるデバイスであって、
標的部位又はその近傍に配置される透明性を有する先端部と、
吸引手段に接続可能に前記先端部に備えられる１又は２以上の吸引開口を備える液吸引路と、
標的部位を通電刺激可能に前記先端部に備えられる１又は２以上の電極と、
を備える、デバイス。
【請求項２】
前記２以上の電極が双極電極として備えられている、請求項１に記載のデバイス。
【請求項３】
前記液吸引路は、２以上またはスリット状の吸引開口を備える、請求項１又は２に記載のデバイス。
【請求項４】
前記液吸引路は、前記先端部の少なくとも一部に備えられる多孔質部に連通する、請求項１〜３のいずれかに記載のデバイス。
【発明の詳細な説明】
【技術分野】
【０００１】
本明細書は、医療行為に用いるデバイスに関する。
【背景技術】
【０００２】
外科手術では、血液や組織液を吸引して術野の視認性等を確保することが重要である。こうした吸引機能付きのレトラクター等も開示されている（特許文献１）。
【０００３】
脳などの神経系外科手術においては、血液等の吸引は非常に重要である。吸引機能付きの先端部を備える、いわゆる脳ベラも知られている。
【０００４】
また、脳等の外科手術等においては、血液等を吸引する一方で、双極電極で脳の一部を順次刺激して、摘出可能部位を特定することが行われる場合がある。かかる摘出部位の特定操作においては、片方の手で脳ベラ等を用いて術野を確保しつつ、もう片方の手で一対の双極電極で異なる箇所を正確に連続的に刺激して、摘出部位を慎重に特定する必要がある。
【先行技術文献】
【特許文献】
【０００５】
【特許文献１】特開２００７−１５１７８３号公報
【発明の概要】
【発明が解決しようとする課題】
【０００６】
しかしながら、吸引機能付きの脳ベラ等を使用する場合であっても、脳ベラ等で血液等を吸引できるのは刺激を付与するべき箇所の周辺であって、電気刺激を付与するべき箇所ではない。このため、脳等の神経系組織において摘出可能部位の特定は慎重に行われなければないにも関わらず、術者は、脳ベラ等と双極電極との双方をそれぞれを細々としかも頻繁に移動させながら、視野を確保しつつ電気刺激を行う必要があった。
【０００７】
本明細書は、こうした課題に鑑み、電気刺激をすべき標的部位の良好な視野の確保と当該標的部位での電気刺激を簡易に達成できるデバイスを提供する。
【課題を解決するための手段】
【０００８】
本発明者らは、こうした課題について検討し、脳ベラ等と双極電極とを複合して一体化することで、標的部位の視野を確保しつつ当該部位において簡易に電気刺激を行いうることを見出した。すなわち、吸引機能を備える先端部に複数個の電極を配置することで、電極を刺激部位毎に移動させなくても、異なる場所を刺激できて、正確にかつ簡易に特定部位を刺激できることを見出した。これらの知見によれば、以下の手段が提供される。
【０００９】
（１）医療行為に用いるデバイスであって、
標的部位又はその近傍に配置される透明性を有する先端部と、
吸引手段に接続可能に前記先端部に備えられる１又は２以上の吸引開口を備える液吸引路と、
前記標的部位を通電刺激可能に前記先端部に備えられる１又は２以上の電極と、
を備える、デバイス。
（２）前記２以上の電極が双極電極として備えられている、（１）に記載のデバイス。
（３）前記液吸引路は、２以上またはスリット状の吸引開口を備える、（１）又は（２）に記載のデバイス。
（４）前記液吸引路は、前記先端部の少なくとも一部に備えられる多孔質部に連通する、（１）〜（３）のいずれかに記載のデバイス。
【図面の簡単な説明】
【００１０】
【図１】本開示のデバイスの概要を例示する図であり、（ａ）は、デバイスの斜視図を示し、（ｂ）は、先端部を液吸引路の高さで切断した横断面図を示し、（ｃ）はデバイスの裏面を示す。
【図２】本開示のデバイスの吸引開口の各種態様を示す図であり、（ａ）は、３つの液吸引開口を備える態様を示し、（ｂ）は、スリット状の吸引開口を備える態様を示す。
【発明を実施するための形態】
【００１１】
本明細書の開示は、医療行為に用いるデバイスに関する。本開示のデバイス（以下、本デバイスともいう。）によれば、透明性の先端部を介して標的部位又はその近傍の血液等が吸引されるため、標的部位で良好な視野を確保でき、しかも、その状態で先端部に備えた電極によって標的部位を正確に刺激できる。このため、外科手術などにおいて摘出部位を特定するなど電気刺激を要する操作の際、視野確保等のためにレトラクターを操作しつつ、電極を操作するという煩雑で熟練を要する操作を回避できる。
【００１２】
特に、電極として双極電極の対を２以上配列して備えることで、標的部位を簡易にかつ精度よく電気刺激することができる。
【００１３】
また、本開示によれば、こうしたデバイスに用いる医療用の電極パッドが提供される。
【００１４】
本デバイスやパッドは、脳手術以外においても、通電刺激を要する手技や内視鏡下手術やカテーテル手術に用いることができる。
【００１５】
本明細書における医療行為に用いるデバイスは、その医療用機器としての用途を限定するものではない。したがって、例えば、レトラクター、電極パッド、電気刺激デバイス、脳手術等の摘出部位特定デバイス等として使用できる。また、デバイスの適用される手術の種類も限定されないが、例えば、外科手術用、カテーテル手術用、内視鏡手術用とすることができる。また、手術における適用部位を限定するものではないが、例えば、電気刺激部位に関して高い精度が要求される、脳、脊髄などの中枢神経及び末梢神経等の神経系組織とすることができる。特に好ましくは、脳である。
【００１６】
以下、本開示について適宜図面を参照しながら詳細に説明する。図１には、本デバイス１０の一例を示し、図２には、本デバイス１０における液吸引路４及び吸引開口６のパターンの態様を示す。なお図２では、電極を省略している。
【００１７】
本デバイス１０は、図１に示すように、先端部２と、吸引開口６を備える液吸引路４と、双極電極８（８ａ、８ｂ、８ｃ、８ｄ、８ｅ、８ｆ）と、を備えている。
【００１８】
先端部２は、ヒト等に対する各種形態での手術において標的部位やその近傍に配して、牽引、開創及び露出などをするための機能的部位である。ここで手術とは、いわゆる外科手術のほか、内視鏡下手術やカテーテル手術を包含している。先端部２は、標的部位や手術の種類や術式に応じて多様な形状を取りえ、その形態は特に限定されない。略平板状等のヘラ状であってもよいし、球状であってもよいし、棒ないし針状等であってもよい。また、組織を教示可能な略二股状であってもよい。電極８の配置を考慮すると、平板状であることが好ましいが、これに限定されるものではない。
【００１９】
先端部２は、透明性を有している。先端部２における透明性は、少なくとも電極８の形成部位を含む領域において有していればよいが、そのおおよそ全体において透明性であることがより好ましい。
【００２０】
先端部２は、後述する液吸引路４を備えているが、そのマトリックスは緻密質であってもよいし多孔質であってもよい。後述するように、多孔質部を有する場合には、当該多孔質部を介して液吸引が可能となる。
【００２１】
こうした先端部２は、透明性を有する材料で構成されていればよく、その材料は特に限定されないが、種々の付着性等を考慮するとシリコーン樹脂製等であることが好ましい。
【００２２】
先端部２には液吸引路４が備えられている。図１に示すように、液吸引路４は、図示しない吸引手段に接続可能に構成され、排出口７を備えている。液吸引路４は、１以上備えられていればよく、２以上備えられていてもよい。また、液吸引路４は、先端部２の成形に際して先端部２内を貫通する管孔部として形成されてもよいし、こうした管孔部に対して別途管状体を挿入するようにして形成されていてもよい。なお、図１においては、排出口７は、先端部２から突出した状態に備えられているが、これに限定するものではなく、管路を有する吸引手段の管路を差し込み可能な排出口７を先端部２内に備えるようにしてもよい。
【００２３】
液吸引路４は少なくとも１つの吸引開口６を備えることができる。吸引開口６の個数、開口部位及び開口形状については特に限定されないで、種々の形態を包含する。液吸引路４は、当該吸引路４が備える吸引開口６の個数等によって全体として多様なパターンで先端部２内に備えられる。
【００２４】
図１に示すように、吸引開口６は、先端部２の一つの側面に一箇所のみ開口するものであってもよい。吸引開口６は２以上備えられることが好ましい。２以上備えられることで、血液等の目詰まりを抑制でき、操作時間にわたり継続する吸引が可能となる。例えば、図２（ａ）に示すように、先端部２の１つの側面に複数開口してもよいし、また、先端部２の複数の側面においてそれぞれ開口していてもよい。さらに、先端部２の標的部位に当接される面（下面）に開口するものであってもよい。
【００２５】
また、吸引開口６の開口形状は、図２（ａ）に示すように、１つの領域（側面）においてそれぞれに独立するように複数個備えられる程度のものでもよいが、スリット状であってもよい。図２（ｂ）に示すように、スリット状開口は、例えば、１つの側面におおよそ対応する１つのスリット状であってもよい。
【００２６】
液吸引路４及び吸引開口６の形成パターンは、上記のように種々の形態を含みうるが、後述する電極８ａの設置やこれらによる標的部位に対する通電刺激を妨げないパターンであることが好ましい。したがって、電極８等の設置箇所を回避して液吸引路４及び吸引開口６を備えていることが好ましい。
【００２７】
さらに、液吸引路４は、いわゆる流路形態に適合したものに限定されないで、先端部２の少なくとも一部に標的部位に対して露出して備えられる多孔質部に連通するものであってもよい。この場合、多孔質部が吸引開口を兼ねることになる。多孔質部は、先端部２の一部であってもよいが全体であってもよい。標的部位の視認性の観点からは、先端部２の一部分であることが好ましい。なお、先端部２が多孔質部を備える場合であっても、当該多孔質部において別途吸引開口６と液吸引路４とを備えていてもよい。
【００２８】
先端部２には、１又は２以上の電極８を備えることができる。電極８は、図１に示すように、複数個を備えることが好ましい。こうすることで、通電する電極８を適宜選択するだけで、本デバイス１０を移動させることなく異なる電極８に対して通電刺激が可能となる。
【００２９】
電極８は、それぞれ単電極として設置して、いずれかの場所に備える基準電極との間で通電するようにしてもよい。また、例えば、双極電極を構成するようにしてもよい。すなわち、図１に示すように、電極８ａ、８ｂを双極電極としてそれぞれの間で通電させるようにしてもよい。電極構成の各種態様は、当業者であれば、通電形式や配線構造によって適宜構成し変更することが可能である。
【００３０】
また、複数個の電極８ａ等は、一定のパターンで配列されていることが好ましい。典型的には、線状にあるいはドットマトリックス等のアレイ状に配列されていることが好ましい。こうした構成を採ることで、例えば、脳手術等において摘出部位の特定等が正確かつ容易になる。複数個の電極８ａ等の配列形態は、先端部２の形態に応じて、あるいは摘出部位の特定のために必要な位置精度等に応じて適宜設定される。
【００３１】
電極８ａ等は、それぞれ図示しないリード線に接続されて、所定の通電装置に接続可能となっている。リード線は、液吸引路４又は液吸引路４の連結先に沿って配設されるようになっていてもよい。
【００３２】
なお、以上の説明によれば、本デバイス１０は、先端部２に双極電極などの電極８を備える、医療用の双極電極パッド等としても利用可能であることは明らかである。
【００３３】
次に、本デバイス１０を用いて、脳手術時の摘出可能部位の特定操作を実施する工程について説明する。
【００３４】
操作に先立って、本デバイス１０の液吸引路４は、適当な液吸引装置に接続され、また、電極８は、適当な通電装置に接続される。術者は、例えば、開頭して、脳を露出した後、本デバイス１０の先端部２を摘出部位の候補部位（標的部位）に当接させて、吸引装置を作動させて吸引を開始する。これにより、先端部２及びその周囲の血液が吸引除去されて、先端部２の当接下及びその周囲の視野が良好になる。特に、先端部２下にあっては、先端部２で当接された結果、効果的に血液等が除去され良好な視野が確保される。
【００３５】
次いで、先端部２に備えた電極８ａ〜８ｆ（ここでは双極電極構成とし、双極電極３組備えることとなる。）の、電極８ａ、８ｂの対に通電する。かかる通電による生理的あるいは機能的変化を評価することで、当該電極８ａ、８ｂ間の領域が摘出可能部位であるか否かを判定できる。
【００３６】
次いで、電極８ｃ、８ｄに通電して、同様の評価を行い、さらに、電極８ｅ、８ｆについての同様に評価する。
【００３７】
なお、通電している間においても、連続して又は必要に応じて、吸引装置を作動して先端部２及びその近傍の血液等を吸引除去する。この結果、本デバイス１０を移動させることなく、電極８ａ〜８ｆの電極、すなわち、４つの双極電極の対について通電してこれら領域を評価することができた。これらの電極８ａ〜８ｆは、予め決められた配列で配置されているため、これらの評価結果は極めて信頼性の高いものとなる。
【００３８】
さらに、本デバイス１０を隣接箇所に移動させて、同様の評価を行う。こうした評価を行うことで、手術における摘出可能部位を正確に、容易に、しかも効率的に評価し、特定できる。
【００３９】
従来は、レトラクターによって標的部位を牽引し血液等を吸引しつつ、双極電極を移動させる必要があり、非常に煩雑であり慎重に行わざるを得ない熟練を要する操作であった。しかしながら、本デバイス１０を用いることで、標的部位の視認性を確保しつつ当該部位において容易にかつ確実に通電刺激を行って正確な評価ができる。また、複数の標的部位についても、本デバイスを移動させることなく通電刺激を連続して行うことができるため、正確な評価を容易に連続して行うことができる。
【００４０】
以上の説明では、本デバイス１０の脳手術の際の摘出可能部位の特定への適用を例示したが、本デバイス１０は、電極による刺激や位置特定が必要な操作において広く適用できる。
【００４１】
以上説明したように、本デバイスによれば、電気刺激をすべき標的部位の良好な視野の確保と当該標的部位での電気刺激を簡易に達成できる。このため、デバイス標的部位に対する通電刺激という慎重でかつ熟練の必要な操作を、容易にかつ正確に行うことができる。
【符号の説明】
【００４２】
２  先端部
４  液吸引路
６  吸引開口
７  排出口
８ａ、８ｂ、８ｃ、８ｄ、８ｅ、８ｆ  電極
１０  デバイス
【図１】
2015198699.tif 000003
【図２】
2015198699.tif 000004